(57)【要約】【課題】気化式潜熱交換器と顕熱交換器を組み合わせた熱交換装置を用いることで、外気と同じ程度の湿度のまま空気の温度を下げるようにすること。【解決手段】水が気化する際の潜熱を利用して吸気された空気の温度を低下させる第１の気化式潜熱交換器１１と、空気の吸気方向が互いに直交し、直交方向に吸気された空気間で熱交換を行なう第１の顕熱交換器３３とを設ける。前記第１の気化式潜熱交換器１１の空気の下流側に前記第１の顕熱交換器３３を配置する。気化式潜熱交換器１１で熱交換された空気と外気の空気とが顕熱交換器３３に熱交換される。顕熱交換器３３からの空気は、外気と同じ程度の湿度のまま温度を下げることができる。【選択図】図１１
2014149134.tif 000002
【特許請求の範囲】
【請求項１】
水が気化する際の潜熱を利用して吸気された空気の温度を低下させる第１の気化式潜熱交換器（１１）と、
空気の吸気方向が互いに直交し、直交方向に吸気された空気間で熱交換を行なう第１の顕熱交換器（３３）とを備え、
前記第１の気化式潜熱交換器（１１）の空気の下流側に前記第１の顕熱交換器（３３）を配置していることを特徴とする熱交換装置。
【請求項２】
前記第１の顕熱交換器（３３）で熱交換され、空気の温度が低下した側の該第１の顕熱交換器（３３）の下流側に、前記第１の気化式潜熱交換器（１１）と同様の構成からなる第２の気化式潜熱交換器（１１ａ）を配置していることを特徴とする請求項１に記載の熱交換装置。
【請求項３】
水が気化する際の潜熱を利用して吸気された空気の温度を低下させる第１の気化式潜熱交換器（１１）と、空気の吸気方向が互いに直交し、直交方向に吸気された空気間で熱交換を行ない前記第１の気化式潜熱交換器（１１）の空気の下流側に配置した第１の顕熱交換器（３３）とで第１の熱交換装置を構成し、
前記第１の気化式潜熱交換器（１１）及び第１の顕熱交換器（３３）と同様の構成からなる第２の気化式潜熱交換器（１１ｂ）及び第２の顕熱交換器（３３ｂ）とで第２の熱交換装置を構成し、
前記第１の気化式潜熱交換器（１１）及び第１の顕熱交換器（３３）と同様の構成からなる第３の気化式潜熱交換器（１１ａ）及び第３の顕熱交換器（３３ａ）とで第３の熱交換装置を構成し、
前記第１の顕熱交換器（３３）の下流側に前記第３の気化式潜熱交換器（１１ａ）を配置すると共に、前記第２の顕熱交換器（３３ｂ）の下流側に前記第３の顕熱交換器（３３ａ）を配置していることを特徴とする熱交換装置。
【請求項４】
水が気化する際の潜熱を利用して吸気された空気の温度を低下させる第１の気化式潜熱交換器（１１）と、空気の吸気方向が互いに直交し、直交方向に吸気された空気間で熱交換を行ない前記第１の気化式潜熱交換器（１１）の空気の下流側に配置した第１の顕熱交換器（３３）とで第１の熱交換装置を構成し、
前記第１の気化式潜熱交換器（１１）及び第１の顕熱交換器（３３）と同様の構成からなる第２の気化式潜熱交換器（１１ｂ）及び第２の顕熱交換器（３３ｂ）とで第２の熱交換装置を構成し、
前記第１の気化式潜熱交換器（１１）及び第１の顕熱交換器（３３）と同様の構成からなる第３の気化式潜熱交換器（１１ａ）及び第３の顕熱交換器（３３ａ）と、前記第３の顕熱交換器（３３ａ）の下流側に前記第３の気化式潜熱交換器（１１ａ）を同様の構成からなる第４の気化式潜熱交換器（１１ｃ）とで第３の熱交換装置を構成し、
前記第１の顕熱交換器（３３）の下流側に前記第３の気化式潜熱交換器（１１ａ）を配置し、前記第２の顕熱交換器（３３ｂ）の下流側に前記第３の顕熱交換器（３３ａ）を配置していることを特徴とする熱交換装置。
【請求項５】
空気調和機の室外機（１）の凝縮器（３）の空気の吸い込みの上流側に、前記請求項１〜請求項４に記載のいずれかの熱交換装置を配置していることを特徴とする熱交換装置を用いた凝縮器の冷却装置。
【発明の詳細な説明】
【技術分野】
【０００１】
本発明は、気化式潜熱交換器と顕熱交換器とを組み合わせた熱交換装置及びこの熱交換装置を用いた凝縮器の冷却装置に関するものである。。
【背景技術】
【０００２】
従来より、気化式潜熱交換器を用いた空気調和機が提供されている。例えば、下記に示す特許文献１が挙げられる。
【先行技術文献】
【特許文献】
【０００３】
【特許文献１】特開２００４−３０９１１３号公報
【０００４】
また、顕熱交換器を用いている空気調和機もある。そして、これらの気化式潜熱交換器あるいは顕熱交換器を用いて、夏場でも冷房運転時での空気の温度を下げるようにしている。
【発明の概要】
【発明が解決しようとする課題】
【０００５】
しかしながら、従来の空気調和機では、気化式潜熱交換器あるいは顕熱交換器を単独で用いており、気化式潜熱交換器では出口側の湿度が高くなると、空気の温度を下げる能力が低下し、それ以上温度を下げることができないという問題を有している。
また、気化式潜熱交換器あるいは顕熱交換器単独での使用は、ある程度は空気の温度を冷却することが可能ではあるものの、気化式潜熱交換器あるいは顕熱交換器の単独での使用は、限界があるのが現状である。
【０００６】
本発明は上述の問題点に鑑みて提供したものであって、気化式潜熱交換器と顕熱交換器を組み合わせた熱交換装置を用いることで、外気と同じ程度の湿度のまま空気の温度を下げるようにし、また、この熱交換器からの空気を空気調和機の凝縮器に当てることで、効率良く冷房運転をできるようにした熱交換装置及びこの熱交換装置を用いた凝縮器の冷却装置を提供することを目的としている。
【課題を解決するための手段】
【０００７】
そこで、本発明の請求項１に記載の熱交換装置では、水が気化する際の潜熱を利用して吸気された空気の温度を低下させる第１の気化式潜熱交換器１１と、
空気の吸気方向が互いに直交し、直交方向に吸気された空気間で熱交換を行なう第１の顕熱交換器３３とを備え、
前記第１の気化式潜熱交換器１１の空気の下流側に前記第１の顕熱交換器３３を配置していることを特徴としている。
【０００８】
請求項２に記載の熱交換装置では、前記第１の顕熱交換器３３で熱交換され、空気の温度が低下した側の該第１の顕熱交換器３３の下流側に、前記第１の気化式潜熱交換器１１と同様の構成からなる第２の気化式潜熱交換器１１ａを配置していることを特徴としている。
【０００９】
請求項３に記載の熱交換装置では、水が気化する際の潜熱を利用して吸気された空気の温度を低下させる第１の気化式潜熱交換器１１と、空気の吸気方向が互いに直交し、直交方向に吸気された空気間で熱交換を行ない前記第１の気化式潜熱交換器１１の空気の下流側に配置した第１の顕熱交換器３３とで第１の熱交換装置を構成し、
前記第１の気化式潜熱交換器１１及び第１の顕熱交換器３３と同様の構成からなる第２の気化式潜熱交換器１１ｂ及び第２の顕熱交換器３３ｂとで第２の熱交換装置を構成し、
前記第１の気化式潜熱交換器１１及び第１の顕熱交換器３３と同様の構成からなる第３の気化式潜熱交換器１１ａ及び第３の顕熱交換器３３ａとで第３の熱交換装置を構成し、
前記第１の顕熱交換器３３の下流側に前記第３の気化式潜熱交換器１１ａを配置すると共に、前記第２の顕熱交換器３３ｂの下流側に前記第３の顕熱交換器３３ａを配置していることを特徴としている。
【００１０】
請求項４に記載の熱交換装置では、水が気化する際の潜熱を利用して吸気された空気の温度を低下させる第１の気化式潜熱交換器１１と、空気の吸気方向が互いに直交し、直交方向に吸気された空気間で熱交換を行ない前記第１の気化式潜熱交換器１１の空気の下流側に配置した第１の顕熱交換器３３とで第１の熱交換装置を構成し、
前記第１の気化式潜熱交換器１１及び第１の顕熱交換器３３と同様の構成からなる第２の気化式潜熱交換器１１ｂ及び第２の顕熱交換器３３ｂとで第２の熱交換装置を構成し、
前記第１の気化式潜熱交換器１１及び第１の顕熱交換器３３と同様の構成からなる第３の気化式潜熱交換器１１ａ及び第３の顕熱交換器３３ａと、前記第３の顕熱交換器３３ａの下流側に前記第３の気化式潜熱交換器１１ａを同様の構成からなる第４の気化式潜熱交換器１１ｃとで第３の熱交換装置を構成し、
前記第１の顕熱交換器３３の下流側に前記第３の気化式潜熱交換器１１ａを配置し、前記第２の顕熱交換器３３ｂの下流側に前記第３の顕熱交換器３３を配置していることを特徴としている。
【００１１】
請求項５に記載の熱交換装置を用いた凝縮器の冷却装置では、空気調和機の室外機１の凝縮器３の空気の吸い込みの上流側に、前記請求項１〜請求項４に記載のいずれかの熱交換装置を配置していることを特徴としている。
【発明の効果】
【００１２】
本発明の請求項１に記載の熱交換装置によれば、水が気化する際の潜熱を利用して吸気された空気の温度を低下させる第１の気化式潜熱交換器１１と、
空気の吸気方向が互いに直交し、直交方向に吸気された空気間で熱交換を行なう第１の顕熱交換器３３とを備え、
前記第１の気化式潜熱交換器１１の空気の下流側に前記第１の顕熱交換器３３を配置しているので、第１の顕熱交換器３３により外気と同じ程度の湿度のまま温度を下げることができる。
【００１３】
請求項２に記載の熱交換装置によれば、第１の顕熱交換器３３で熱交換され、空気の温度が低下した側の該第１の顕熱交換器３３の下流側に、前記第１の気化式潜熱交換器１１と同様の構成からなる第２の気化式潜熱交換器１１ａを配置していることで、第２の気化式潜熱交換器１１ａにより更に温度を下げることができる。
【００１４】
請求項３に記載の熱交換装置によれば、第１の顕熱交換器３３の下流側に前記第３の気化式潜熱交換器１１ａを配置すると共に、前記第２の顕熱交換器３３ｂの下流側に前記第３の顕熱交換器３３ａを配置しているので、第３の顕熱交換器３３ａから出る空気は、第２の顕熱交換器３３ｂからの空気のため、外気と同じ程度の湿度のまま温度を下げることができる。また、複数の熱交器を介しているので、温度を一層下げることができる。
【００１５】
請求項４に記載の熱交換装置によれば、第１の顕熱交換器３３の下流側に前記第３の気化式潜熱交換器１１ａを配置し、前記第２の顕熱交換器３３ｂの下流側に前記第３の顕熱交換器３３ａを配置しているので、特に第３の顕熱交換器３３ａの下流側に第４の気化式潜熱交換器１１ｃを設けおり、そのため、一層温度を下げることができる。
【００１６】
請求項５に記載の熱交換装置を用いた凝縮器の冷却装置によれば、空気調和機の室外機１の凝縮器３の空気の吸い込みの上流側に、前記請求項１〜請求項４に記載のいずれかの熱交換装置を配置していることで、凝縮器３に温度が低い空気を当てることができる。これにより夏場の高温時においても凝縮器３を効率良く冷房運転をすることができ、冷却効率を向上させることができる。
【図面の簡単な説明】
【００１７】
【図１】本発明の実施の形態における顕熱交換器の斜視図である。
【図２】本発明の実施の形態における顕熱交換器の正面図である。
【図３】本発明の実施の形態における気化式潜熱交換器の斜視図である。
【図４】本発明の実施の形態における気化式潜熱交換器を用いた冷却装置の概略構成である。
【図５】本発明の実施の形態における気化式潜熱交換器を用いた冷却装置の正面図である。
【図６】本発明の実施の形態における保水材を製作する場合の説明図である。
【図７】本発明の実施の形態における保水材を製作する場合の説明図である。
【図８】本発明の実施の形態における保水材を製作する場合の説明図である。
【図９】本発明の実施の形態における保水材を製作する場合の説明図である。
【図１０】本発明の実施の形態における保水材の要部拡大断面図である。
【図１１】本発明の実施の形態における気化式潜熱交換器と顕熱交換器とを組み合わせた熱交換装置の構成図である。
【図１２】本発明の実施の形態における気化式潜熱交換器と顕熱交換器とを組み合わせた熱交換装置の概略構成図である。
【図１３】本発明の実施の形態における図１１に示す構成に気化式潜熱交換器を組み合わせた熱交換装置の構成図である。
【図１４】本発明の実施の形態における複数の気化式潜熱交換器と顕熱交換器を組み合わせた熱交換装置の構成図である。
【図１５】本発明の実施の形態における複数の気化式潜熱交換器と顕熱交換器を組み合わせた熱交換装置の構成図である。
【図１６】本発明の実施の形態における空気調和機の凝縮器の上流側に熱交換装置を配置した場合の構成図である。
【図１７】本発明の実施の形態における空気調和機の凝縮器の上流側に熱交換装置を配置した場合の概略構成図である。
【図１８】本発明の実施の形態における空気調和機の冷凍サイクルを示す図である。
【発明を実施するための形態】
【００１８】
以下、本発明の実施の形態を図面を参照して詳細に説明する。図１は従来より知られている周知な顕熱交換器３３の斜視図を、図２は顕熱交換器３３の正面図をそれぞれ示している。顕熱交換器３３の材料は、樹脂やアルミ材などの金属製が用いられる。
【００１９】
顕熱交換器３３の構成は周知なので詳細な説明は省略するが、上下方向に所定の間隔にて隔壁３４が配設されていて、上下の隔壁３４の間には例えばジグザク状に折曲した熱伝導板３５が配設されている。上下の熱伝導板３５の向きは互いに直交方向となっていて、図中の矢印に示すように、外部からの空気の流通が直交するようになっている。
また、空気の流通方向と同方向の端部には側板３６がそれぞれ配設されている。また、隔壁３４の面と熱伝導板３５の各折曲した頂点の部分とは固着されており、隔壁３４と熱伝導板３５とは熱伝導が容易となっている。
【００２０】
この顕熱交換器３３は、図１の矢印Ａに示す方向から流入する空気と、矢印Ｂ方向から流入する空気とが流通し、両者の空気の温度に違いにより熱交換が行なわれ、例えば、矢印Ａの空気が、矢印Ｂの空気より高いと、矢印Ａの空気は顕熱交換器３３から排出した箇所で流入した温度より低い温度となる。
ここで、顕熱交換器３３は周知のように、熱だけを交換するものであり、樹脂など湿気を通さない素材でできているので、湿度は交換されない。
【００２１】
次に、気化式潜熱交換器１１について説明する。図３は気化式潜熱交換器１１の斜視図を示し、図４は気化式潜熱交換器１１を用いた全体の冷却装置１０の概略構成図を示している。また、図５は、図４のＡ方向から見た概略正面図を示している。
【００２２】
冷却装置１０は、詳しくは後述する気化式潜熱交換器１１と、この気化式潜熱交換器１１から排水管１２を介して排水される水を回収する水回収装置１３と、この水回収装置１３に貯溜している水をポンプ１４を介して前記気化式潜熱交換器１１側に送る給水管１５と、この給水管１５からの水を気化式潜熱交換器１１の上面に給水する給水装置１６と、気化式潜熱交換器１１へ外部の空気を吸引させるためのファン１７等で構成されている。
【００２３】
本実施形態では、水回収装置１３内の水をポンプ１４、給水管１５を介して気化式潜熱交換器１１へ循環させ、気化式潜熱交換器１１内では水が気化する際の潜熱を利用して気化式潜熱交換器１１内で吸気された空気の温度を低下させるものである。
気化式潜熱交換器１１内を流下した水は排水管１２を介して水回収装置１３に回収される。
【００２４】
水回収装置１３へは、水道水等の補給水が補給水管２０から供給されるようになっており、補給水管２０にはフロート弁２１が介装されている。このフロート弁２１は、液面に浮かぶフロート２２が液面の高さに応じて上下方向に移動することにより開閉する弁である。
水回収装置１３の液面が所定の高さ以下になると、フロート２２が下降してフロート弁２１が開いて補給水管２０から水が供給される。また、補給水が供給されていって液面が所定の高さ以上になると、フロート２２が上昇してフロート弁２１が閉じられ、補給水管２０からの水の供給が停止される。
【００２５】
気化式潜熱交換器１１へ水回収装置１３からの水を循環させて給水する給水装置１６は、気化式潜熱交換器１１の幅方向と略同じ長さとし、例えばパイプに複数の穴を穿孔しておき、これらの穴から水を気化式潜熱交換器１１の上面に滴下ないし散水するものである。
【００２６】
なお、図５に示すように気化式潜熱交換器１１の下部には排水樋２５が設けられており、この排水樋２５の端部に排水管１２が接続されて、気化式潜熱交換器１１から流下した水は水回収装置１３へ回収されるようになっている。
【００２７】
次に、気化式潜熱交換器１１の構成について説明する。気化式潜熱交換器１１は、図４に示すように、外気が矢印に示すように吸い込まれて吐出される保水材３０にて構成されている。なお、この保水材３０は、一般に通称クーリングパッド（ Cooling Pad )と呼ばれ、湿気を含む素材である紙材で構成されている。
また、このクーリングパッドは、主に畜舎並びに園芸用施設の温度を下げるために用いられるものであり、日本では、無窓畜舎、施設園芸用温室で広く使用されているものである。
【００２８】
図６〜図９は保水材３０の作り方を示しており、保水材３０の構造を理解し易いように、この保水材３０の構造について説明する。図６に示すように、波形形状をした波板材５１を多層に積層して形成するものであり、それぞれの波板材５１は、強固に加工された紙で出来ている。なお、波板材５１の波形形状で形成されて連続して形成される溝５２が、空気の流通路となる。
上下の波板材５１を吸気方向に対して互い違いに任意の角度、例えば、３０°前後に組み合わせ、上の波板材５１の波の下側の頂点と、下の波板材５１の波の上側の頂点とは交差する点、つまり、図７に示す黒丸（●）の部分を接着剤にて接着し、上下の波板材５１を接着固定する。
【００２９】
このようにして波板材５１を多数積層したのが図８に示す保水材体５５であり、この保水材体５５を図中矢印のイ方向にカッター等にて切断することで、任意の厚みの保水材片５６を得る。そして、図９に示すように、縦方向、横方向の矢印ロ、ハに示すようにカッター等にて切断することで、任意の大きさの保水材３０を形成することができる。
【００３０】
なお、保水材３０は、任意の厚みや大きさを容易に製作することができ、また、波板材５１を上下に積層する際に、波板材５１を任意の角度で傾斜して積層することで、外気の吸気方向に対する波板材５１の各溝５２の傾斜角度も任意に形成することができる。また、図６に示すように、溝５２の幅寸法Ｌや高さ寸法Ｈを任意に製作することができる。
【００３１】
図１０は上記のようにして製作された保水材３０の要部拡大断面図を示し、左方から矢印に示すように空気が保水材３０の溝５２（以後、この溝を「空気流通路」と称する。）を通過する。
この実線で示している空気流通路５２は例えば、３０°の傾きで上昇し、この実線で示されている空気流通路５２と幅方向で隣接し、破線で示している空気流通路５２は、例えば、３０°の傾きで下降している構成となっている。これらの空気流通路５２が保水材３０の上下方向及び左右方向に連続して形成されている。
【００３２】
この保水材３０に給水装置１６からの水が滴下され、保水材３０自体に水が吸水されて湿潤状態となり、同時に保水材３０の表面、つまり各空気流通路５２の表裏の面を水が流下していき、保水材３０に吸収されなかった水は保水材３０の表面を伝って水回収装置１３へと流れて回収される。
【００３３】
このように、気化式潜熱交換器１１（保水材３０）内では、水が気化する際の潜熱を利用して気化式潜熱交換器１１内で吸気された空気の温度を低下させることができるようになっている。
【００３４】
図１１は、気化式潜熱交換器１１と顕熱交換器３３とを並設した状態を示し、矢印Ａは気化式潜熱交換器１１と顕熱交換器３３とに流入して流れる空気の流れを示している。また、矢印Ｂは、矢印Ａとは直交する方向で顕熱交換器３３のみに流れる空気の流れを示している。ファン４１は、矢印Ａの方向に空気を吸引するためのものであり、また、ファン４２は、、矢印Ｂの方向に空気を吸引するために設けている。
図１２は、図１１の構成の概略構成図を示している。
【００３５】
図１１において、アとウは、上流側の外気である。気化式潜熱交換器１１を通過したイでは、温度はアの部分より低く、湿度は高い状態となっている。また、顕熱交換器３３で気化式潜熱交換器１１からの空気とで熱交換が行なわれ、そのため、顕熱交換器３３を通過した部分でのエは、外気のウより温度が低くなるが、湿度は外気と同じである。
これにより、外気と同じ程度の湿度のまま温度を下げることができる。
【００３６】
ここで、気化式潜熱交換器１１を通過したイでの温度より、顕熱交換器３３を通過したエでの温度は高いが、湿度が外気と同じなので、後述するようにエの温度をさらに低下させることができる。なお、イでは湿度が高いので、それ以上温度を低下させることが難しくなる。
【００３７】
図１１に示す顕熱交換器３３の下流側に気化式潜熱交換器１１ａを配置した状態を図１３に示す。なお、新たに配置した気化式潜熱交換器１１ａの構成は、気化式潜熱交換器１１と同じである。顕熱交換器３３の下流側に配置した気化式潜熱交換器１１ａを通過したオでの空気の温度は、顕熱交換器３３を通過したエの温度より低く、また湿度はエよりも高い状態となる。
【００３８】
気化式潜熱交換器１１における上流のアと、下流のイとの温度の低下と、他方の気化式潜熱交換器１１ａにおける上流のエと、下流のオとの温度の低下の割合はほぼ同じである。そのため、イの温度よりエの温度の方が高いが、気化式潜熱交換器１１ａを通過することで、オでの温度をイでの温度よりかなり低くすることができる。このように、顕熱交換器３３からの空気を気化式潜熱交換器１１ａにより更に温度を下げることができる。
【００３９】
図１４は、気化式潜熱交換器１１と顕熱交換器３３とを組み合わせものを３組配置した場合を示している。なお、説明の便宜上それぞれ離した状態で描いているが、実際は各熱交換器は隣接した状態である。
【００４０】
気化式潜熱交換器１１で通過した空気の温度はＴ２であり、顕熱交換器３３により熱交換された空気の温度Ｔ３は、温度Ｔ２よりは高い。また、気化式潜熱交換器１１ｂと顕熱交換器３３ｂとで熱交換された空気の温度Ｔ３は上記と同様である。気化式潜熱交換器１１ａで熱交換された空気の温度Ｔ４は、温度Ｔ３より低く、顕熱交換器３３ａにて熱交換された空気の温度はＴ５となる。
【００４１】
気化式潜熱交換器１１ａ及び顕熱交換器３３ａとで熱交換を行なう場合に、気化式潜熱交換器１１ａに流入される空気を、その前段で気化式潜熱交換器１１及び顕熱交換器３３ａとで熱交換された空気とし、また、顕熱交換器３３ａに流入される空気を、その前段で気化式潜熱交換器１１ｂ及び顕熱交換器３３ｂとで熱交換された空気としていることで、顕熱交換器３３ａより通過した空気の温度Ｔ５を一層低下させることができる。なお、顕熱交換器３３ａより通過した空気の湿度は外気と同じである。
このように、図１４の構成では、外気と同じ程度の湿度のまま温度を下げることができる。また、複数の熱交換器を介しているので、温度を一層下げることができる。
【００４２】
図１５は、図１４の熱交換器の構成に対して顕熱交換器３３ａの下流側に気化式潜熱交換器１１ｃを設けた場合を示している。この組み合わせでは、最後段に気化式潜熱交換器１１ｃを設けていることで、気化式潜熱交換器１１ｃからの空気の温度Ｔ６（＜Ｔ５）を一層低下させることができる。なお、気化式潜熱交換器１１ｃからの空気の湿度は外気より高くなっている。
【００４３】
図１６及び図１７は、空気調和機の室外機１の凝縮器３の吸い込み空気の上流側に気化式潜熱交換器１１、顕熱交換器３３及び気化式潜熱交換器１１ａからなる熱交換装置４４を設置した場合の概略構成図を示している。この熱交換装置４４は、図１３に示す構成と同じである。
また、図１７及び図１８は、理解し易いように、気化式潜熱交換器１１、顕熱交換器３３及び気化式潜熱交換器１１ａを直列的に描いているが、実際は、図１６に示す配置構成となっている。
【００４４】
室外機１は、周知の構成であるため、詳細な説明は省略するが、室外機１のケース２の一方には凝縮器３が配置され、ケース２の上部には冷却ファン４が設けられている。なお、本実施形態では冷却ファン４をケース２の上部に設けているが、凝縮器３に対向した位置に冷却ファン４が設けられている場合もある。
【００４５】
熱交換装置４４の顕熱交換器３３は、図１６及び図１７に示すように、凝縮器３の大きさとほぼ同じか、若干大きめの大きさとしており、顕熱交換器３３にて凝縮器３の空気の吸い込み面を覆う大きさである。
【００４６】
図１８は、周知な冷凍サイクルを示し、冷凍サイクルは、凝縮器３、圧縮器５、室内に設置される室内機内の蒸発器６、膨張弁７等で構成されており、それぞれ冷媒管８にて接続されている。
冷房運転時では、圧縮器５で冷媒管８内の冷媒が圧縮されて、冷媒は高温ガスになり、凝縮器３内を冷却ファン４にて気化する際の水の潜熱にて一定の温度に下げられ冷媒ガスは液化する。膨張弁７にて冷媒の圧力は急激に下げられ、冷媒ガスの潜熱で冷たくなり、蒸発器６で部屋の温度を熱交換を行ない、室内機から冷風が部屋内に送られて冷房が行なわれる。
【００４７】
なお、図１８では、気化式潜熱交換器１１、１１ａの上方にはそれぞれ給水装置１６を配設することから、給水管１５を分岐したパイプ１５ａ、１５ａにより給水装置１６へ水を供給するようにしている。
【００４８】
図１６及び図１７では、熱交換装置４４の構成を図１３の場合のものを用いているが、図１１、図１４、図１５のいずれかの熱交換装置４４を用いるようにしてもよいものである。
【００４９】
このように、室外機１の凝縮器３の上流側に気化式潜熱交換器１１及び顕熱交換器３３からなる熱交換装置４４を配置していることで、凝縮器３に温度が低い空気を当てることができる。これにより、夏場の高温時においても凝縮器３を効率良く冷房運転することができ、冷却効率を向上させることができる。
【符号の説明】
【００５０】
１  室外機
３  凝縮器
１１  第１の気化式潜熱交換器
１１ｂ  第２の気化式潜熱交換器
１１ａ  第３の気化式潜熱交換器
１１ｃ  第４の気化式潜熱交換器
３３  第１の顕熱交換器
３３ｂ  第２の顕熱交換器
３３ａ  第３の顕熱交換器
４４  熱交換装置
【図１】
2014149134.tif 000003
【図２】
2014149134.tif 000004
【図３】
2014149134.tif 000005
【図４】
2014149134.tif 000006
【図５】
2014149134.tif 000007
【図６】
2014149134.tif 000008
【図７】
2014149134.tif 000009
【図８】
2014149134.tif 000010
【図９】
2014149134.tif 000011
【図１０】
2014149134.tif 000012
【図１１】
2014149134.tif 000013
【図１２】
2014149134.tif 000014
【図１３】
2014149134.tif 000015
【図１４】
2014149134.tif 000016
【図１５】
2014149134.tif 000017
【図１６】
2014149134.tif 000018
【図１７】
2014149134.tif 000019
【図１８】
2014149134.tif 000020